【手続補正書】
【提出日】平成30年10月4日(2018.10.4)
【手続補正１】
【補正対象書類名】明細書
【補正対象項目名】００６５
【補正方法】変更
【補正の内容】
【００６５】
例示的な実施態様が、本明細書で示され、説明されたが、当業者であれば、このような実施態様が、単なる例として提供されることを理解されたい。以下の請求項が、本発明の範囲を規定し、かつこれらの請求項及びその等価物の範囲内の方法及び構造が本発明の範囲に含まれるものとする。
本件出願は、以下の構成の発明を提供する。
（構成１）
個人の眼の矯正レンズを選択するための方法であって：
個人の眼の少なくとも1回の測定に基づいた該個人についての眼の測定情報を得るステップ；
該個人の眼の測定情報を少なくとも部分的に使用して該個人の第1の対のレンズの第1の処方を決定するステップであって、該第1の対のレンズが、左眼用の第1のレンズ及び右眼用の第1のレンズを含む、該ステップ；
該個人の眼の測定情報を少なくとも部分的に使用して該個人の第2の対のレンズの第2の処方を決定するステップであって、該第2の対のレンズが、左眼用の第2のレンズ及び右眼用の第2のレンズを含む、該ステップ；
該個人が該第1の対のレンズを装着する第1の期間を決定するステップ；及び
該個人が該第2の対のレンズを装着する第2の期間を決定するステップ；を含み、
該第1の処方が、該第2の処方と異なる、前記方法。
（構成２）
個人の眼のレンズキットを用意する方法であって：
第1の処方の第1の対のレンズを選択するステップであって、該第1の対のレンズが、左眼用の第1のレンズ及び右眼用の第1のレンズを含む、該ステップ；
第2の処方の第2の対のレンズを選択するステップであって、該第2の対のレンズが、左眼用の第2のレンズ及び右眼用の第2のレンズを含む、該ステップ；
ベース及び取り外し可能なカバーによって形成された複数の区画を含むレンズのパッケージの中に該第1の対のレンズ及び該第2の対のレンズを一緒にパッケージングするステップであって、該第1及び第2の対のレンズの個々のレンズが、個々の区画内の滅菌溶液中に入れられ、該取り外し可能なカバーが、別のレンズの区画を傷つけることなく、所与のレンズを個別に露出できるように適合されている、該ステップ；及び
該第1の処方の該第1の対のレンズを第1の期間、そして該第2の処方の該第2の対のレンズを第2の期間装着するための取扱説明書のセットを提供するステップ；を含み、
該第1の処方が、該第2の処方とは異なる、前記方法。
（構成３）
前記第1の対のレンズ及び前記第2の対のレンズがそれぞれ、前記第1の期間及び前記第2の期間に従って装着されたときに近視の進行を抑制するように構成されている、構成1〜2の1つ以上に記載の方法。
（構成４）
前記左眼用の第1のレンズ及び前記右眼用の第2のレンズが、正常な中心視力の矯正を提供するように構成され、かつ前記右眼用の第1のレンズ及び前記左眼用の第2のレンズが、正常な中心視力の矯正を提供しないように構成されている、構成1〜3の1つ以上に記載の方法。
（構成５）
前記左眼用の第1のレンズ及び前記右眼用の第2のレンズが、正常な中心視力の矯正を提供するように構成され、かつ前記右眼用の第1のレンズ及び前記左眼用の第2のレンズが、像点が網膜から所定距離離れて位置するよう、右眼及び左眼の該網膜で合焦しない周辺像点を、該右眼及び該左眼の中心窩の外側の周辺領域に提供するように構成されている、構成1〜4の1つ以上に記載の方法。
（構成６）
前記第1の対のレンズ及び前記第2の対のレンズがコンタクトレンズである、構成1〜5の1つ以上に記載の方法。
（構成７）
前記第1の対のレンズ及び前記第2の対のレンズが眼鏡のレンズである、構成1〜6の1つ以上に記載の方法。
（構成８）
前記第1の対のレンズ及び前記第2の対のレンズの少なくとも1つが、近視の進行速度を低下させるように選択される、構成1〜7の1つ以上に記載の方法。
（構成９）
前記第1の対のレンズ及び前記第2の対のレンズの少なくとも1つが、遠見視力の低下を小さくするように選択される、構成1〜8の1つ以上に記載の方法。
（構成１０）
前記第1の対のレンズが、遠見視力用の単焦点レンズ及び所定量の加入度数を有する二焦点レンズを含む、構成1〜9の1つ以上に記載の方法。
（構成１１）
前記左眼用の第1のレンズ、前記右眼用の第1のレンズ、前記左眼用の第2のレンズ、及び前記右眼用の第2のレンズの少なくとも1つが多焦点レンズである、構成1〜9の1つ以上に記載の方法。
（構成１２）
前記第1の対のレンズが、遠見視力用の単焦点レンズ、及び所定量の加入度数を有する多焦点レンズを含む、構成1〜9の1つ以上に記載の方法。
（構成１３）
前記左眼用の第1のレンズが、遠見視力用の単焦点レンズであり、前記右眼用の第1のレンズが、所定量の加入度数を有する多焦点レンズであり、前記左眼用の第2のレンズが、所定量の加入度数を有する多焦点レンズであり、かつ前記右眼用の第2のレンズが、遠見視力用の単焦点レンズである、構成1〜9の1つ以上に記載の方法。
（構成１４）
前記第1の対のレンズが、遠見視力用の単焦点レンズ、及び非単調な半径方向の度数プロファイル及び所定量の加入度数を有する多焦点レンズを含む、構成1〜9の1つ以上に記載の方法。
（構成１５）
前記左眼用の第1のレンズが、遠見視力用の単焦点レンズであり、前記右眼用の第1のレンズが、非単調な半径方向の度数プロファイル及び所定量の加入度数を有する多焦点レンズであり、前記左眼用の第2のレンズが、非単調な半径方向の度数プロファイル及び所定量の加入度数を有する多焦点レンズであり、かつ前記右眼用の第2のレンズが、遠見視力用の単焦点レンズである、構成1〜9の1つ以上に記載の方法。
（構成１６）
度数プロファイルが、前記第1の対のレンズの少なくとも1つの光軸に関連し、該度数プロファイルが、最大値と最小値との間の推移を有し、該最大値が、光学ゾーンの中心の0.2mmの範囲内であり、該最小値が、該最大値から0.3 mm以下、0.6 mm以下、0.9 mm以下、又は1mm以下の距離であり；該最大値と最小値との間の推移の大きさが、少なくとも2.5D、4D、5D、又は6Dである、構成1〜9の1つ以上に記載の方法。
（構成１７）
前記レンズの少なくとも1つが、光軸及びその光軸の周りの収差プロファイルを有し、該収差プロファイルが：焦点距離を有し；かつ一次球面収差成分C（4、0）及び二次球面収差成分C（6、0）の少なくとも1つを有する高次収差を含み、該収差プロファイルが、収差が全く又は実質的になく、かつ軸上の長さが、該焦点距離に等しい又は実質的に等しいモデル眼に：眼の成長の方向に低下するスルーフォーカス傾斜を有する網膜像の質（RIQ）；及び少なくとも0.3のRIQを提供し、該RIQが、540nm〜590nmの範囲から選択される波長で、0〜30サイクル/度の空間周波数範囲に対して、直径が3mm〜6mmの範囲の少なくとも1つの瞳孔について、実質的に光軸に沿って測定される視覚ストレール比である、構成1〜9の1つ以上に記載の方法。
（構成１８）
前記第1の期間が前記第2の期間とは異なる、構成1〜17の1つ以上に記載の方法。
（構成１９）
前記第1の期間及び前記第2の期間が、約12時間、約24時間、又は約48時間である、構成1〜18の1つ以上に記載の方法。
（構成２０）
個人の眼の矯正レンズ系であって：
第1の処方の第1の対のレンズであって、左眼用の第1のレンズ及び右眼用の第1のレンズを含む、該第1の対のレンズ；
第2の処方の第2の対のレンズであって、左眼用の第2のレンズ及び右眼用の第2のレンズを含む、該第2の対のレンズ、を含み、
該第1の対のレンズ及び該第2の対のレンズが、ベース及び取り外し可能なカバーによって形成された複数の区画を含むパッケージ内に配置され、該第1及び第2の対のレンズの個々のレンズが、個々の区画内の滅菌溶液中に入れられ、該取り外し可能なカバーが、別のレンズの区画を傷つけることなく、所与のレンズを個別に露出できるように適合されており；更に
該第1の処方の該第1の対のレンズを第1の期間、そして該第2の処方の該第2の対のレンズを第2の期間装着するための取扱説明書のセットを含み、
該第1の処方が、該第2の処方とは異なる、前記系。
（構成２１）
前記第1の対のレンズ及び前記第2の対のレンズがそれぞれ、前記第1の期間及び前記第2の期間に従って装着されたときに近視の進行を抑制するように構成されている、構成20記載の系。
（構成２２）
前記左眼用の第1のレンズ及び前記右眼用の第2のレンズが、正常な中心視力の矯正を提供するように構成され、かつ前記右眼用の第1のレンズ及び前記左眼用の第2のレンズが、正常な中心視力の矯正を提供しないように構成されている、構成20及び21の1つ以上に記載の系。
（構成２３）
前記第1の対のレンズ及び前記第2の対のレンズがコンタクトレンズである、構成20〜22の1つ以上に記載の系。
（構成２４）
前記左眼用の第1のレンズが、遠見視力用の単焦点レンズであり、前記右眼用の第1のレンズが、非単調な半径方向の度数プロファイル及び所定量の加入度数を有する多焦点レンズであり、前記左眼用の第2のレンズが、非単調な半径方向の度数プロファイル及び所定量の加入度数を有する多焦点レンズであり、かつ前記右眼用の第2のレンズが、遠見視力用の単焦点レンズである、構成20〜23の1つ以上に記載の系。
（構成２５）
前記度数プロファイルが、前記第1の対のレンズの少なくとも1つの光軸に関連し、該度数プロファイルが、最大値と最小値との間の推移を有し、該最大値が、光学ゾーンの中心の0.2mmの範囲内であり、該最小値が、該最大値から0.3 mm以下、0.6 mm以下、0.9 mm以下、又は1mm以下の距離であり；該最大値と最小値との間の推移の大きさが、少なくとも2.5D、4D、5D、又は6Dである、構成20〜23の1つ以上に記載の系。